(57)【要約】  第１のパネル（１）、第２のパネル（２）、及び、第１のパネル（１）を第２のパネル（２）に係止するための機械的係止装置を備え、第１のパネル（１）が第１のエッジ面（１１）と第１のパネル面（１２）とを備え、第２のパネル（２）が第２のエッジ面（２１）と第２のパネル面（２２）とを備えるセットにおいて、機械的係止装置が、第２のエッジ面（２１）にある挿入溝（３）と、挿入溝（３）内に位置される可撓性タング（４）と、タング溝（９）を備えるエッジタングとを備え、可撓性タング（４）が第１の係止面（１０１）と第２の係止面（１０２）とを備え、第１の係止面（１０１）が、可撓性タング（４）が第１の方向で挿入溝（３）内に位置されるときに第１のパネル（１）を第２のパネル（２）に第１の方向で係止するためにタング溝（９）と協働するように構成され、可撓性タング（４）の第２の係止面（１０２）が、可撓性タング（４）が第２の方向で挿入溝（３）内に位置されるときに第１のパネル（１）を第２のパネル（２）に第１の方向で係止するためにタング溝（９）と協働するように構成されることを特徴とするセット。
2021521394.tif 000002
【特許請求の範囲】
【請求項１】
第１のパネル（１）、第２のパネル（２）、及び、前記第１のパネル（１）を前記第２のパネル（２）に係止するための機械的係止装置を備え、前記第１のパネル（１）が第１のエッジ面（１１）と第１のパネル面（１２）とを備え、前記第２のパネル（２）が第２のエッジ面（２１）と第２のパネル面（２２）とを備えるセットにおいて、
前記機械的係止装置は、前記第２のエッジ面（２１）にある挿入溝（３）と、前記挿入溝（３）内に位置される可撓性タング（４）と、タング溝（９）を備えるエッジタングとを備え、
前記可撓性タング（４）が第１の係止面（１０１）と第２の係止面（１０２）とを備え、
前記第１の係止面（１０１）は、前記可撓性タング（４）が第１の方向で前記挿入溝（３）内に位置されるときに前記第１のパネル（１）を前記第２のパネル（２）に第１の方向で係止するために前記タング溝（９）と協働するように構成され、
前記可撓性タング（４）の前記第２の係止面（１０２）は、前記可撓性タング（４）が第２の方向で前記挿入溝（３）内に位置されるときに前記第１のパネル（１）を前記第２のパネル（２）に前記第１の方向で係止するために前記タング溝（９）と協働するように構成される、
ことを特徴とするセット。
【請求項２】
前記第１の係止面（１０１）と前記第２の係止面（１０２）とが前記可撓性タング（４）に略対称的に位置される、請求項１に記載のセット。
【請求項３】
前記第１の係止面（１０１）と前記第２の係止面（１０２）との間の角度（５０）は、約９０°〜約１８０°の範囲内、好ましくは約１５０°〜約１７５°の範囲内、又は、好ましくは約１５８°である、請求項１又は２に記載のセット。
【請求項４】
前記可撓性タング（４）は、前記第２のパネル（２）に対する前記第１のパネル（１）の移動中に前記エッジタングと協働するように構成されるガイド面（１０３）を備える、請求項１から３のいずれか一項に記載のセット。
【請求項５】
前記ガイド面（１０３）は、第１の端部では前記第１の係止面（１０１）に接続され、第２の端部では前記第２の係止面（１０２）に接続される、請求項４に記載のセット。
【請求項６】
前記ガイド面（１０３）が湾曲形状を有する、請求項４又は５に記載のセット。
【請求項７】
前記ガイド面（１０３）が円弧の形状を有する、請求項６に記載のセット。
【請求項８】
前記ガイド面（１０３）の前記湾曲形状は、前記第１の係止面（１０１）と前記第２の係止面（１０２）との間で約０．５ｍｍ〜約３ｍｍの範囲内、好ましくは１ｍｍ〜２ｍｍの範囲内、又は、好ましくは約１．５ｍｍの半径を有する、請求項６又は７に記載のセット。
【請求項９】
前記可撓性タングが厚さＴを有し、前記ガイド面（１０３）の前記湾曲形状は、前記第１の係止面（１０１）と前記第２の係止面（１０２）との間で約０．２ｘＴ〜１．２ｘＴ又は約０．４ｘＴ〜約０．８ｘＴの範囲内、又は、０．６×Ｔの半径を有する、請求項６から８のいずれか一項に記載のセット。
【請求項１０】
前記ガイド面（１０３）は、分解工具の湾曲形状の表面と協働するように構成され、前記分解工具が好ましくは円形断面を有する、請求項４から９のいずれか一項に記載のセット。
【請求項１１】
前記可撓性タング（４）は、前記ガイド面（１０３）の反対側に位置される支持面（１０４）を有し、前記支持面（１０４）は、約２５ｍｍ〜約５０ｍｍの範囲内、好ましくは３０ｍｍ〜４５ｍｍの範囲内、又は、好ましくは約３７ｍｍの半径を伴う湾曲形状を有する、請求項１から１０のいずれか一項に記載のセット。
【請求項１２】
前記支持面（１０４）の前記湾曲形状は、前記挿入溝（３）の底面（４４）の半径よりも小さい半径を有する、請求項６から１２のいずれか一項に記載のセット。
【請求項１３】
前記第１のパネル（１）を前記第２のパネル（２）に係止するための前記第１又は第２の方向が前記第２のパネル面（２２）に対して平行及び／又は垂直である、請求項１から１２のいずれか一項に記載のセット。
【請求項１４】
前記エッジタングは、前記第１のパネル（１）の前記第１のエッジ面（１１）及び第３のエッジ面（１４）にある棒状要素（６）であり、前記機械的係止装置は、前記第２のパネル（２）の前記第２のパネル面（２２）にある第１の要素溝（７）と、前記第２のパネル（２）の第３のパネル面（２３）にある第２の要素溝（１０）とを備え、前記棒状要素（６）は、前記タング溝（９）を備えるとともに、前記第１の要素溝（７）又は前記第２の要素溝（１０）に挿入されるように構成され、
前記第１の要素溝（７）が前記第２のパネル面（２２）から前記挿入溝（３）まで延び、前記第２の要素溝（１０）が前記第３のパネル面（２３）から前記挿入溝（３）まで延び、
前記可撓性タング（４）の前記第１の係止面（１０１）は、それが前記第１の要素溝（７）に挿入されて前記第１のエッジ面（１１）が前記第１のパネル面（２２）に当て付いて配置されるときに前記第１のパネル面（２２）に対して垂直である第１の方向で前記第１のパネル（１）を前記第２のパネル（２）に係止するために前記タング溝（９）と協働するように構成され、
前記可撓性タング（４）の前記第２の係止面（１０２）は、それが前記第２の要素溝（１０）に挿入されて前記第３のエッジ面（１４）が前記第３のパネル面（２３）に当て付いて配置されるときに前記第１のパネル面（２２）に対して垂直である第１の方向で前記第１のパネル（１）を前記第２のパネル（２）に係止するために前記タング溝（９）と協働するように構成される、
請求項１から１３のいずれか一項に記載のセット。
【請求項１５】
前記第１のパネル面（２２）又は前記第２のパネル面（２３）と平行な平面内における前記棒状要素（６）の第１の横断面は、円形の形状又は長方形の形状を有する、請求項１４に記載のセット。
【請求項１６】
前記機械的係止装置は、前記棒状要素（６）が前記第１の要素溝（７）又は前記第２の要素溝（１０）に挿入されて前記第１のエッジ面（１１）が前記第１のパネル面（２２）に当て付いて配置される及び／又は前記第３のエッジ面（１４）が前記第２のパネル面（２３）に当て付いて配置されるときに前記第１のパネル（１）を前記第２のパネル（２）に自動的に係止するように構成される、請求項１４又は１５に記載のセット。
【請求項１７】
前記棒状要素（６）は、前記第１のパネル（１）の前記第１のパネル面（１２）と平行な長さ方向を伴う長手方向形状を有する、請求項１４から１６のいずれか一項に記載のセット。
【発明の詳細な説明】
【技術分野】
【０００１】
本発明の実施形態は、機械的係止装置と共に係止されるように構成されるパネルに関する。パネルは、床製品を得るために互いに係止されるべき床板であってもよく、或いは、本棚、食器棚、たんす、箱、引き出し、又は、家具構成要素等の家具製品を得るために互いに組み立てられて係止されてもよくその後に解体されてもよいパネルであってもよい。機械的係止装置は、可撓性タングを備えてもよい。
【背景技術】
【０００２】
国際公開第２０１５／０３８０５９号パンフレットによって証明されるように、機械的係止装置が設けられる家具製品が当該技術分野において知られている。家具製品は、挿入溝内に可撓性タングを備える機械的係止装置によって第２のパネルに対して垂直に接続される第１のパネルを備える。
【０００３】
様々な既知の態様の上記の説明は、出願人のそのようなものの特徴であり、上記の説明のいずれかが先行技術とみなされることを認めるものではない。
【０００４】
本発明の実施形態は、組み立て及び解体され得るパネルを提供する必要性に対処する。
【発明の概要】
【０００５】
本発明の特定の態様の目的は、前述の技術及び既知の技術に優る改良をもたらすことであり、組み立て後に機械的係止装置を損傷させることなく解体／分解でき、それでもなおセットを再び組み立てることができるようにするセットを達成することである。
【０００６】
本発明の少なくとも特定の実施形態及び態様の目的は、前述の技術及び既知の技術に優る改良をもたらすことである。
【０００７】
本発明の少なくとも特定の態様の更なる目的は、工具を何ら使用する必要なく組み立てられるように構成されるパネルの組み立てを容易にすることである。
【０００８】
本発明の少なくとも特定の態様の更なる目的は、組み立てられるように構成されるパネルの分解を容易にすることである。
【０００９】
本発明の少なくとも特定の態様の更なる目的は、製造及び使用が容易な係止装置を用いて組み立てられるように構成されるパネルの組み立て及び分解を容易にすることである。
【００１０】
本発明の少なくとも特定の態様の更なる目的は、組み立てられたパネルを分解する方法を容易にすることである。
【００１１】
本発明の少なくとも特定の態様の更なる目的は、使用及び設置が容易であるとともにその誤った設置のリスクを減らす係止装置を用いて組み立てられるように構成されるパネルの組み立てを容易にすることである。
【００１２】
本発明の少なくとも特定の態様の更なる目的は、より安定した審美的な態様で組み立てられるように構成されるパネルの組み立てを容易にすることである。
【００１３】
説明から明らかとなるこれら及び他の目的及び利点の少なくとも幾つかは、第１のパネル、第２のパネル、及び、第１のパネルを第２のパネルに係止するための機械的係止装置とを備え、第１のパネルが第１のエッジ面と第１のパネル面とを備え、第２のパネルが第２のエッジ面と第２のパネル面とを備えるセットであって、機械的係止装置が、第２のエッジ面にある挿入溝と、挿入溝内に位置される可撓性タングと、タング溝を備えるエッジタングとを備え、可撓性タングが第１の係止面と第２の係止面とを備え、第１の係止面が、可撓性タングが第１の方向で挿入溝内に位置されるときに第１のパネルを第２のパネルに第１の方向で係止するためにタング溝と協働するように構成され、可撓性タングの第２の係止面が、可撓性タングが第２の方向で挿入溝内に位置されるときに第１のパネルを第２のパネルに第１の方向で係止するためにタング溝と協働するように構成されることを特徴とするセットによって達成される。
【００１４】
第１の係止面及び第２の係止面は可撓性タングに略対称に位置されてもよい。
【００１５】
第１の係止面と第２の係止面との間の角度は、約９０°〜約１８０°の範囲内、好ましくは約１５０°〜約１７５°の範囲内、又は、好ましくは約１５８°である。
【００１６】
可撓性タングは、第２のパネルに対する第１のパネルの移動中にエッジタングと協働するように構成されるガイド面を備えてもよい。
【００１７】
ガイド面は、第１の端部では第１の係止面に接続されてもよく、第２の端部では第２の係止面に接続されてもよい。
【００１８】
ガイド面は湾曲形状を有してもよい。
【００１９】
ガイド面は円弧の形状を有してもよい。
【００２０】
ガイド面の湾曲形状は、第１の係止面と第２の係止面との間で約０．５ｍｍ〜約３ｍｍの範囲内、好ましくは１ｍｍ〜２ｍｍの範囲内、又は、好ましくは約１．５ｍｍの半径を有してもよい。
【００２１】
可撓性タングは厚さＴを有してもよく、また、ガイド面の湾曲形状は、第１の係止面と第２の係止面との間で約０．２ｘＴ〜１．２ｘＴ又は約０．４ｘＴ〜約０．８ｘＴの範囲内、又は、０．６×Ｔの半径を有してもよい。
【００２２】
ガイド面は、分解工具の湾曲形状の表面と協働するように構成されてもよく、この場合、分解工具は円形断面を有することが好ましい。
【００２３】
可撓性タングは、ガイド面の反対側に位置される支持面を有してもよく、この場合、支持面は、約２５ｍｍ〜約５０ｍｍの範囲内、好ましくは３０ｍｍ〜４５ｍｍの範囲内、又は、好ましくは約３７ｍｍの半径を伴う湾曲形状を有してもよい。
【００２４】
支持面の湾曲形状は、挿入溝の底面の半径よりも小さい半径を有してもよい。
【００２５】
第１のパネルを第２のパネルに係止するための第１又は第２の方向が第２のパネル面に対して平行及び／又は垂直であってもよい。
【００２６】
エッジタングは、第１のパネルの第１のエッジ面及び第３のエッジ面にある棒状要素であってもよく、機械的係止装置は、第２のパネルの第２のパネル面にある第１の要素溝と、第２のパネルの第３のパネル面にある第２の要素溝とを備えてもよく、棒状要素は、タング溝を備えてもよいとともに、第１の要素溝又は第２の要素溝に挿入されるように構成されてもよく、第１の要素溝が第２のパネル面から挿入溝まで延びてもよく、第２の要素溝が第３のパネル面から挿入溝まで延びてもよく、可撓性タングの第１の係止面は、それが第１の要素溝に挿入されて第１のエッジ面が第１のパネル面に当て付いて配置されるときに第１のパネル面に対して垂直である第１の方向で第１のパネルを第２のパネルに係止するためにタング溝と協働するように構成されてもよく、可撓性タングの第２の係止面は、それが第２の要素溝に挿入されて第３のエッジ面が第３のパネル面に当て付いて配置されるときに第１のパネル面に対して垂直である第１の方向で第１のパネルを第２のパネルに係止するためにタング溝と協働するように構成されてもよい。
【００２７】
第１又は第２のパネル面に平行な平面における棒状要素の第１の横断面は、円形の形状又は長方形の形状を有し得る。
【００２８】
機械的係止装置は、棒状要素が第１の要素溝又は第２の要素溝に挿入されて第１のエッジ面が第１のパネル面に当て付いて配置される及び／又は第３のエッジ面が第２のパネル面に当て付いて配置されるときに第１のパネルを第２のパネルに自動的に係止するように構成されてもよい。
【００２９】
棒状要素は、第１のパネルの第１のパネル面と平行であってもよい長さ方向を伴う長手方向形状を有してもよい。
【００３０】
１つの態様において、可撓性タングの係止面及び隣り合う側面は、好ましくは、丸みを帯びた、すなわち、半径を有するエッジを有してもよく、その結果、タングは、挿入溝への挿入及び挿入溝内での移動がより容易になるとともに、可撓性タングが挿入溝に挿入されて挿入溝内で移動されるときに繊維が挿入溝から脱落するリスクが低減される。
【００３１】
１つの態様によれば、第１の係止面及び第２の係止面を備える可撓性タングが提供される。第１の係止面は、可撓性タングが第１の方向で挿入溝内に位置されるときに第１のパネルを第２のパネルに対して第１の方向で係止するためにタング溝と協働するように構成される。可撓性タングの第２の係止面は、可撓性タングが第２の方向で挿入溝内に位置されるときに第１のパネルを第２のパネルに対して第１の方向に係止するためにタング溝と協働するように構成される。
【００３２】
第１の係止面及び第２の係止面は可撓性タングに略対称に位置されてもよい。
【００３３】
第１の係止面と第２の係止面との間の角度は、約９０°〜約１８０°の範囲内、好ましくは約１５０°〜約１７５°の範囲内、又は、好ましくは約１５８°である。
【００３４】
可撓性タングがガイド面を備えてもよい。
【００３５】
ガイド面は、第１の端部では第１の係止面に接続されてもよく、第２の端部では第２の係止面に接続されてもよい。
【００３６】
ガイド面は湾曲形状を有してもよい。
【００３７】
ガイド面は円弧の形状を有してもよい。
【００３８】
ガイド面の湾曲形状は、第１の係止面と第２の係止面との間で約０．５ｍｍ〜約３ｍｍの範囲内、好ましくは１ｍｍ〜２ｍｍの範囲内、又は、好ましくは約１．５ｍｍの半径を有してもよい。
【００３９】
可撓性タングは厚さＴを有してもよく、また、ガイド面の湾曲形状は、第１の係止面と第２の係止面との間で約０．２ｘＴ〜１．２ｘＴ又は約０．４ｘＴ〜約０．８ｘＴの範囲内、又は、０．６×Ｔの半径を有してもよい。
【００４０】
一態様によれば、第１のパネル及び／又は第２のパネルのコアは、好ましくはＭＤＦ、ＨＤＦ、ＯＳＢ、ＷＰＣ、合板、又は、パーティクルボードから形成される木質コアであってもよい。また、コアは、熱硬化性プラスチック又は熱可塑性プラスチック、例えばビニール、ＰＶＣ、ＰＵ又はＰＥＴを備えるプラスチックコアであってもよい。プラスチックコアはフィラーを備えてもよい。
【００４１】
また、第１のパネル及び／又は第２のパネルが無垢材からなってもよい。
【００４２】
また、第２のパネルは、シートメタルなどの金属からなってもよい。
【００４３】
第１のパネル及び／又は第２のパネルは、１つ以上の表面上に、ホイル又はベニアなどの装飾層を備えてもよい。
【００４４】
本発明の実施形態が成し得るこれら及び他の態様、特徴、並びに、利点は、本発明の実施形態及び態様の以下の説明から明らかであるとともに解明され、添付図面が参照される。
【図面の簡単な説明】
【００４５】
【図１Ａ】組み立て中の本発明の一実施形態の三次元図を示す。
【図１Ｂ】本発明の一実施形態に係る可撓性タングの一実施形態を示す。
【図２Ａ】本発明の一実施形態に係る第１のパネルの一実施形態の側面図を示す。
【図２Ｂ】本発明の一実施形態に係る第１のパネルの一実施形態の側面図を示す。
【図２Ｃ】図２Ｂに示される実施形態の一部の拡大を示す。
【図３】本発明の一実施形態に係る係止位置にある第１のパネル及び第２のパネルの一実施形態を示す。
【図４Ａ】組み立て中の本発明の一実施形態の三次元図を示す。
【図４Ｂ】第２のパネルの一実施形態の断面を示す。
【図５Ａ】本発明の一実施形態に係る係止位置にある第１のパネル及び第２のパネルの一実施形態の断面を示す。
【図５Ｂ】図５Ａに示される実施形態の一部の拡大を示す。
【図６Ａ】本発明の一実施形態に係る係止位置にある第１のパネル及び第２のパネルの一実施形態の側面図を示す。
【図６Ｂ】本発明の一実施形態に係る係止位置にある第１のパネル及び第２のパネルの一実施形態の側面図を示す。
【図７Ａ】本発明の一実施形態に係る係止位置にある第１のパネル及び第２のパネルの一実施形態の断面を示す。
【図７Ｂ】図７Ａに示される実施形態の一部の拡大を示す。
【図８Ａ】本発明の一実施形態に係る係止位置にある第１のパネル及び第２のパネルの一実施形態の断面を示す。
【図８Ｂ】本発明の一実施形態に係る第２のパネルの一実施形態を示す。
【図８Ｃ】本発明の一実施形態に係る第２のパネルの一実施形態を示す。
【図８Ｄ】本発明の一実施形態に係る組み立て中の係止位置にある第１のパネル及び第２のパネルの一実施形態の断面を示す。
【図９Ａ】第１及び第２のパネルの分解のために分解工具が使用される、第１及び第２のパネルの一実施形態の断面を示す。
【図９Ｂ】第１及び第２のパネルの分解のために分解工具が使用される、第１及び第２のパネルの一実施形態の断面を示す。
【図９Ｃ】係止位置にある組み立て中の第１及び第２のパネルの断面を示す。
【図９Ｄ】係止位置にある組み立て中の第１及び第２のパネルの断面を示す。
【図１０】組み立て中の第１及び第２のパネルの三次元図を示す。
【図１１Ａ】本発明の一実施形態に係る可撓性タングの異なる図を示す。
【図１１Ｂ】本発明の一実施形態に係る可撓性タングの異なる図を示す。
【図１１Ｃ】本発明の一実施形態に係る可撓性タングの異なる図を示す。
【図１１Ｄ】本発明の一実施形態に係る可撓性タングの異なる図を示す。
【図１１Ｅ】本発明の一実施形態に係る可撓性タングの異なる図を示す。
【図１２Ａ】本発明の一実施形態に係る可撓性タングの異なる図を示す。
【図１２Ｂ】本発明の一実施形態に係る可撓性タングの異なる図を示す。
【図１２Ｃ】本発明の一実施形態に係る可撓性タングの異なる図を示す。
【図１２Ｄ】本発明の一実施形態に係る可撓性タングの異なる図を示す。
【図１２Ｅ】本発明の一実施形態に係る可撓性タングの異なる図を示す。
【図１３Ａ】図１１Ａ〜図１１Ｅに示される実施形態の一部の断面Ａ−Ａの拡大を示す。
【図１３Ｂ】図１２Ａ〜図１２Ｅに示される実施形態の一部の断面Ｂ−Ｂの拡大を示す。
【発明を実施するための形態】
【００４６】
ここで、添付図面を参照して、本発明の特定の実施形態について説明する。しかしながら、この発明は、多くの異なる形態で具現化されてもよく、本明細書中に記載される実施形態に限定されるように解釈されるべきでなく、むしろ、これらの実施形態は、この開示が完璧で且つ完全であるように及び本発明の範囲を当業者に十分に伝えるように提供される。添付図面に示される実施形態の詳細な説明で使用される用語は、本発明を限定しようとするものではない。図面中、同様の番号は同様の要素を指す。
【００４７】
本明細書中で使用される用語は、開示の特定の態様を単に説明することを目的としているにすぎず、開示を限定しようとするものではない。本明細書中で使用される単数形「１つの（ａ）」、「１つの（ａｎ）」、及び、「その（ｔｈｅ）」は、文脈が別段明確に示唆しなければ、複数形も含むように意図される。
【００４８】
「備える」という単語が挙げられた要素又はステップ以外の要素又はステップの存在を必ずしも排除するものではなく、また、要素に先行する「１つの（ａ）」又は「１つの（ａｎ）」という単語が複数のそのような要素の存在を排除しないことに留意すべきである。更に、参照符号のいずれも特許請求の範囲を限定するものではなく、態様の例がハードウェア及びソフトウェアの両方によって少なくとも部分的に実施されてもよく、及び、幾つかの「手段」、「ユニット」、又は、「装置」がハードウェアの同じアイテムにより表わされてもよいことに留意すべきである。
【００４９】
本明細書中に開示される本発明の異なる態様、代替物、及び、実施形態は、本明細書中に記載される他の態様、代替物、及び、実施形態のうちの１つ以上と組み合わせられ得る。２つ以上の態様を組み合わせることができる。
【００５０】
本発明の第１の実施形態は、例えば、第１のパネル１、第２のパネル２、及び、第１のパネル１を第２のパネル２に係止するための機械的係止装置を備えるセットを含む、図１〜図８Ａ及び図９Ａ〜図１３Ｂに示される。第１のパネル１は、第１のエッジ面１１及び第１のパネル面１２を備える。第２のパネル２は、第２のエッジ面２１及び第２のパネル面２２を備える。機械的係止装置は、第２のエッジ面２１にある挿入溝３、挿入溝３に位置される可撓性タング４、及び、タング溝９を備えるエッジタングを更に備える。可撓性タング４は、第１の係止面１０１及び第２の係止面１０２を備える。第１の係止面１０１は、可撓性タング４が第１の方向で挿入溝３内に位置されるときに第１のパネル１を第２のパネル２に対して第１の方向で係止するためにタング溝９と協働するように構成される。可撓性タング４の第２の係止面１０２は、可撓性タング４が第２の方向で挿入溝３内に位置されるときに第１のパネル１を第２のパネル２に対して第１の方向に係止するためにタング溝９と協働するように構成される。
【００５１】
第１のパネル１及び第２のパネル２は、家具製品用のパネルであることが好ましく、家具製品のフレームの一部であってもよい。
【００５２】
家具製品の場合、セットは、好ましくは、第１のパネル面１２が第２のパネル面２２に対して垂直又は略垂直な状態で第１のパネル１を第２のパネル２に係止するように構成される。
【００５３】
また、第１のパネル１及び第２のパネル２は、図８Ａに示されるように、床製品を得るために互いに係止されるべき床板であってもよい。
【００５４】
図１は、家具製品の組み立て中の第１の実施形態を三次元図で示す。第１のパネルは、第２のパネル面２２に対して垂直な方向で第１のパネルを第２のパネルに対して移動させることによって組み立てられてもよい。機械的係止装置は、棒状要素６が第１の要素溝７内に挿入されて第１のエッジ面１１が第２のパネル面２２に当て付いて配置されるときに第１のパネル１を第２のパネル２に自動的に係止するように構成されてもよい。実施形態は、参照により本願に明示的に組み入れられる国際公開第２０１８／０８０３８７号パンフレットに示される。
【００５５】
可撓性タング４の実施形態は、円形断面を備えてもよい挿入溝３用に構成される三次元図で図１Ｂに示される。可撓性タングは、エッジ溝３の円形断面に適合することが好ましい湾曲面を有してもよい。可撓性タングの第１の部分は、挿入溝と協働するように構成され、また、第２の部分は、棒状要素６の凹部９と協働するように構成される。可撓性タングのこの実施形態に伴う利点は、エッジ溝のサイズを小さくできるという点である。小さいエッジ溝は、第２のパネルの第２のエッジの強度の効果が制限される又は存在しないという利点を有し得る。
【００５６】
第２の部分は、組み立て中に棒状要素８と協働するように構成される第１の面取り部６５と、係止のために凹部と協働するように構成される第２の面取り部６４とを備えてもよい。
【００５７】
可撓性タングは、組み立て中にエッジ溝内で可撓性タングの圧縮及び移動を可能にするための可撓性材料を備えてもよい。
【００５８】
可撓性タングは、組み立て中にエッジ溝内で可撓性タングの圧縮及び移動を可能にするために可撓性である要素と、係止強度を向上させるために可撓性が殆どない他の要素とを備えてもよい。
【００５９】
可撓性タング６の湾曲面の一部は、エッジ溝５の円筒面などの表面に当て付いて移動されるように構成されてもよい。
【００６０】
第１のエッジ面１２は、前記棒状要素のうちの２つ以上を備えてもよく、また、第２のパネル面３は、好ましくは直線状に配置される前記挿入溝７のうちの２つ以上を備えてもよく、この場合、棒状要素のそれぞれは、挿入溝のうちの１つに挿入されるように構成される。
【００６１】
第１の要素溝７は、第２のパネル面２２及び第２のパネル２のコアに形成されてもよい。
【００６２】
第２のパネル面２２は装飾層を備えてもよく、また、第１の要素溝７は装飾層を貫通して延びてもよい。
【００６３】
第１の要素溝７は、穿孔などの機械的切断によって形成されてもよい。
【００６４】
挿入溝３を覆うために及び第２のエッジ面２１を補強するために、エッジバンドなどのエッジ要素１３が第２のエッジ面２１に取り付けられることが好ましい。エッジ要素１３は、第２のエッジ面２１に接着されてもよく、又は、エッジ要素から突出して挿入溝３内に挿入されるように構成される部分を備えてもよい機械的係止装置によって取り付けられてもよい。この部分は、摩擦によって挿入溝３に取り付けられてもよい。エッジ要素１３は、可撓性タング４及び挿入溝３を目に見えるようにするために、図１Ａでは部分的に除去される。可撓性タング４は、それが挿入溝３内に位置される前に示される。挿入溝３は円形断面を備えてもよい。
【００６５】
第２のエッジ面２１の長手方向に延びる長手方向溝である挿入溝３の一実施形態を備える実施形態が図４Ａ〜図４Ｂ及び図６Ａ〜図１０に示される。長手方向溝用の可撓性タング４の実施形態が図１１〜図１３に示される。第１の係止面１０１及び第２の係止面１０２は可撓性タング４に略対称に位置されてもよい。第１の係止面１０１と第２の係止面１０２との間の角度５０は、約９０°〜約１８０°の範囲内、好ましくは約１５０°〜約１７５°の範囲内、又は、好ましくは約１５８°である。
【００６６】
可撓性タング４は、第２のパネル２に対する第１のパネル１の移動中にエッジタングと協働するように構成されるガイド面１０３を備えてもよい。
【００６７】
ガイド面１０３は、第１の端部では第１の係止面１０１に接続されてもよく、第２の端部では第２の係止面１０２に接続されてもよい。
【００６８】
ガイド面１０３は湾曲形状を有してもよい。
【００６９】
ガイド面１０３は円弧の形状を有してもよい。
【００７０】
ガイド面１０３の湾曲形状は、第１の係止面１０１と第２の係止面１０２との間で約０．５ｍｍ〜約３ｍｍの範囲内、好ましくは１ｍｍ〜２ｍｍの範囲内、又は、好ましくは約１．５ｍｍの半径を有してもよい。
【００７１】
可撓性タング４は厚さＴを有してもよく、また、ガイド面１０３の湾曲形状は、第１の係止面１０１と第２の係止面１０２との間で約０．２ｘＴ〜１．２ｘＴ又は約０．４ｘＴ〜約０．８ｘＴの範囲内、又は、０．６×Ｔの半径を有してもよい。
【００７２】
ガイド面１０３は、分解工具９１の湾曲形状の表面と協働するように構成されてもよく、この場合、図９Ａに示されるように、分解工具は円形断面を有してもよい。
【００７３】
ガイド面１０３は分解工具９１と協働するように構成されてもよく、この場合、分解工具は、図９Ｂに示されるように、三角形断面を有してもよい。
【００７４】
可撓性タング４は、ガイド面１０３の反対側に位置される支持面１０４を有してもよく、この場合、支持面１０４は、約２５ｍｍ〜約５０ｍｍの範囲内、好ましくは３０ｍｍ〜４５ｍｍの範囲内、又は、好ましくは約３７ｍｍの半径を伴う湾曲形状を有してもよい。
【００７５】
支持面１０４の湾曲形状は、図４Ｂに示されるように、挿入溝３の底面４４の半径よりも小さい又は底面４４の半径と同じである半径Ｒを有してもよい。
【００７６】
可撓性タング部４は、屈曲可能部分６１、好ましくは第１の屈曲可能部分及び第２の屈曲可能部分を備えてもよい。可撓性タング４は、好ましくは、前記屈曲可能部分のそれぞれに凹部６３を備える。可撓性タングのこの実施形態に伴う利点は、より強いばね力を得ることができるとともに、より強いばね力がより強い係止をもたらし得るという点である。第２のパネルの幾つかの実施形態の不利な点は、挿入溝３のサイズを大きくしなければならない場合があり、それにより、第２のパネル２の第２のエッジ面２１が弱くなる場合があるという点である。
【００７７】
可撓性タングは、面取り形状又は丸みを帯びた形状を伴う側面１０６を備えてもよい。側面１０６は、タング溝９内への挿入中に挿入工具９１を案内するように構成されてもよく、これについては図９Ｂを参照されたい。
【００７８】
可撓性タングは、第１及び／又は第２の屈曲可能部分６１に突出摩擦要素１０７を備えてもよい。摩擦要素１０７のサイズは、第１及び第２の屈曲可能部分で同じである必要はないが、摩擦要素１０７のサイズは片側でより大きくてもよく、それにより、挿入溝３内でのタング４の横への移動が容易となる。
【００７９】
図１３Ａは、図１１Ａに示される断面Ａ−Ａの拡大を示す。図１３Ｂは、図１２Ａに示される断面Ｂ−Ｂの拡大を示す。断面Ａ−Ａは、突出摩擦要素１０７を貫通して延びる。断面Ｂ−Ｂは、突出摩擦要素１０７の側面である。
【００８０】
第１のエッジ面１１は、前記棒状要素６のうちの２つ以上を備えてもよく、また、第２のパネル面２２は、好ましくは直線状に配置される前記第１の要素溝７のうちの２つ以上を備えてもよく、この場合、棒状要素６のそれぞれは、第１の要素溝７のうちの１つに挿入されるように構成される。
【００８１】
図２Ａは第１のパネル１の第１の側面図を示し、図２Ｂは第１のパネル１の第２の側面図を示す。図２Ｃは、図２Ｂに示される円で囲まれた領域の拡大を示す。タング溝９の実施形態を備える棒状要素６の一実施形態が示される。棒状要素６は、第１のパネル面と平行な長さ方向を伴う長手方向形状を有する。第２のパネル面２２と平行な平面内におけるタング溝９の下方及び／又は上方の棒状要素６の第１の横断面は、円形、長方形、星形、楕円形、又は、六角形を有してもよい。
【００８２】
第１のパネル面１２に対して垂直な第２の方向での第２のパネル２に対する第１のパネル１の係止は、第１の要素溝７と棒状要素６との間の係止面を協働させることによって得られてもよい。
【００８３】
第１の方向及び第２の方向の表面に対して垂直な第３の方向での第２のパネル２に対する第１のパネル１の係止は、第１の要素溝７と棒状要素６との間の係止面を協働させることによって得られてもよい。
【００８４】
第２のパネル面２２と平行な平面内における第１の要素溝７の第２の横断面は、好ましくは、第２のパネル面２２と平行な平面内で、棒状要素６の第１の横断面と適合する形状を有する。この利点は、第２の方向で第２のパネル２に対する第１のパネル１の改善された係止が得られる、及び／又は、第３の方向で第２のパネル２に対する第１のパネル１の改善された係止が得られるという点である。
【００８５】
図３は、係止位置にある家具のための第１のパネル１及び第２のパネル２の側面図を示す。
【００８６】
図８Ａは、係止位置にある床製品のための第１のパネル１及び第２のパネル２の一実施形態の横断面を示す。
【００８７】
図５Ａは、図３に４Ａによって示される線における、係止位置にある第１のパネル１及び第２のパネル２の横断面を示す。図５Ｂは、図５Ａに示される円で囲まれた領域の拡大を示す。第１の要素溝７は、第２のパネル面２２から挿入溝３まで延びてもよい。可撓性タング４の係止面６２は、第２のパネルに対する第１のパネルの係止のためにタング溝９の係止面８２と協働してもよい。
【００８８】
第１の要素溝７は、挿入溝３から距離を隔てて位置される底面４３を備える、有底ドリル穴などの有底溝を備えてもよい。
【００８９】
第１の要素溝７は、挿入溝３の第１の側に第１の部分を有するとともに、挿入溝３の第２の側に第２の部分を有してもよく、この場合、第２の部分は、底面４３及び側壁７１，７２を備え、係止位置では、棒状要素６が、第１の要素溝７の第１の部分を通過し、挿入溝３を通過するとともに、第１の要素溝７の第２の部分に入る。
【００９０】
棒状要素６は、第２の方向での係止のために、第１の要素溝７の第２の部分の側壁７１，７２と協働するように構成されてもよい。
【００９１】
棒状要素６は、係止位置で底面４３と協働するように構成されてもよく、又は、係止位置で底面と協働しないように、すなわち、棒状要素６と底面４３との間に隙間を残すように構成されてもよい。
【００９２】
第１の部分は側壁７３，７４を備えてもよく、この場合、棒状要素６は、第２の方向での係止のために、第１の部分の側壁７３，７４と協調するように構成されてもよい。
【００９３】
側壁は、第２のパネル２のコアの材料を備えてもよい。
【００９４】
挿入溝３は、第２のエッジ面２１から第１の要素溝７まで延びてもよい。
【００９５】
挿入溝３は、第１の要素溝７から距離を隔てて位置される底面４４を備える有底溝であってもよい。
【００９６】
可撓性タング４は、挿入溝３の底面４４に配置されてもよい。
【００９７】
可撓性タング４は、係止位置でタング溝９と挿入溝３の底面４４との間に配置されてもよい。
【００９８】
棒状要素６は、第１のエッジ面１１の取り付け溝４５に取り付けられるように構成されてもよい。
【００９９】
棒状要素６は、第１のエッジ面１１の取り付け溝４５に接着されるように構成されてもよい。
【０１００】
棒状要素６は、摩擦接続によって又はねじ山などの機械的接続によって又は鉤状部などの係止要素によって取り付け溝４５に係止されるように構成されてもよい。
【０１０１】
第２のエッジ面２１は、第２のパネル面２２に対して略垂直であってもよい。
【０１０２】
本発明の一実施形態は、第１のパネル１、第２のパネル２、及び、第１のパネル１を第２のパネル２に係止するための機械的係止装置を備えるセットを含む、図４Ａ〜図Ｂ、図６Ａ〜図７Ｂ及び図９Ａ〜図１０に示される。この実施形態は、第２のエッジ面２１の長手方向に延びる長手方向溝である挿入溝３の一実施形態を備える。可撓性タング４の係止面６２は、第２のパネルに対する第１のパネルの係止のためにタング溝９の係止面８２と協働してもよい。
【０１０３】
図９Ｃは、第１のパネル１が第２のパネル２に係止される本発明の一実施形態を示す。可撓性タング４は、第２のパネル２の挿入溝３に挿入され、また、第１のパネルのタング溝９は、第１のパネル１を第２のパネル２に係止するためにタング４の第１の係止面１０１又は第２の係止面１０２と協働する。
【０１０４】
図９Ｄ及び図１０は組み立て中の実施形態を示し、この場合、図１０に三次元で示される実施形態は、パネル１と共に一体に形成される第１のパネル１の係止装置を示し、また、タング４が第２のパネル２の挿入溝に挿入される。これは、棒状要素６の使用の代替案である。
【０１０５】
図４Ａは、組み立て中の三次元図で一実施形態を示す。第１のパネルは、第２のパネル面２２に対して垂直な方向で第１のパネルを第２のパネル２に対して移動させることによって組み立てられてもよい。機械的係止装置は、棒状要素６が第１の要素溝７内に挿入されて第１のエッジ面１１が第２のパネル面２２に当て付いて配置されるときに第１のパネル１を第２のパネル２に自動的に係止するように構成されてもよい。
【０１０６】
第１の要素溝７は、第２のパネル面２２及び第２のパネル２のコアに形成されてもよい。
【０１０７】
第２のパネル面２２は装飾層を備えてもよく、また、第１の要素溝７は装飾層を貫通して延びてもよい。
【０１０８】
第１の要素溝７は、フライス加工又はのこぎりで切るなどの機械的切断によって形成されてもよい。
【０１０９】
挿入溝３を覆うために及び第２のエッジ面２１を補強するために、エッジバンドなどのエッジ要素１３が第２のエッジ面２１に取り付けられることが好ましい。エッジ要素１３は、第２のエッジに接着されてもよく、又は、エッジ要素１３から突出して挿入溝３内に挿入されるように構成される部分を備えてもよい機械的係止装置によって取り付けられてもよい。この部分は、摩擦によって挿入溝３に取り付けられてもよい。エッジ要素１３は、可撓性タング４及び挿入溝３を目に見えるようにするために、図４Ａでは部分的に除去される。可撓性タング４は、それが挿入溝３内に位置される前に示される。
【０１１０】
本発明の第２の実施形態では、例えば、図８Ｂ〜図８Ｄに示されるように、エッジタングが第１のパネル１の第１のエッジ面１１及び／又は第３のエッジ面１４でそれぞれ棒状要素６であってもよく、また、機械的係止装置は、第２のパネル２の第２のパネル面２２に第１の要素溝７を備えるとともに、第２のパネル２の第３のパネル面２３に第２の要素溝１０を備えてもよい。棒状要素６は、タング溝９を備えてもよく、また、第１の要素溝７又は第２の要素溝１０に挿入されるように構成されてもよい。第１の要素溝７は、第２のパネル面２２から挿入溝３まで延びてもよく、また、第２の要素溝１０は、第３のパネル面２３から挿入溝３まで延びてもよい。可撓性タング４の第１の係止面１０１は、それが第１の要素溝７に挿入されて第１のエッジ面１１が第１のパネル面２２に当て付いて配置されるときに第１のパネル面２２に対して垂直である第１の方向で第１のパネル１を第２のパネル２に係止するためにタング溝９と協働するように構成されてもよい。可撓性タング４の第２の係止面１０２は、それが第２の要素溝１０に挿入されて第３のエッジ面１４が第３のパネル面３２に当て付いて配置されるときに第３のパネル面２３に対して垂直である第１の方向で第１のパネル１を第２のパネル２に係止するためにタング溝９と協働するように構成されてもよい。
【０１１１】
これにより、１つのモジュールとしてだけでなく、幾つかの立方体や長方形など、互いに接続される幾つかのモジュールとしても、幾つかのパネルを互いに係止させることができる。
【０１１２】
図８Ｂ〜図８Ｃに示されるように、第１の要素溝７及び第２の要素溝１０の位置は、互いに対して水平に変位され、それに対応して、第１のエッジ面１１及び第３のエッジ面１４における棒状要素６の位置は、第１の要素溝７及び第２の要素溝１０に嵌まり込むように互いに対して変位される。
【０１１３】
図８Ｄは、可撓性タング４を伴う挿入溝３（図中の円で囲まれた領域）の一実施形態を備える第２のパネル２を含む一実施形態を示す。可撓性タング４は、第１のパネル１を第２のパネル２の第２のパネル面２２に係止するとともに、他の前記第１のパネル１を第２のパネル２の第３のパネル面２３に係止する。可撓性タング４の第１の係止面１０１は、第１のパネル１の第１のエッジ面１１にある棒状要素６のタング溝９と協働し、また、可撓性タング４の第２の係止面１０２は、前記他の第１のパネル１の第３のエッジ面１４にある棒状要素６のタング溝９と協働する。したがって、１つの可撓性タング４は、タングの各側から１つずつ、２つの棒状要素６と協働してもよい。他の実施形態では、各タングが単一の棒状要素６とのみ協働する。
【０１１４】
第２の実施形態の第１のパネル１及び棒状要素６は、第１の実施形態の第１のパネル１及び棒状要素６とそれぞれ同一であってもよい。
【０１１５】
第１の要素溝７に関して前述した特徴及び特性は、第２の要素溝１０にも当てはまる。
【０１１６】
第１のパネル面２２又は第２のパネル面２３と平行な平面内における棒状要素６の第１の横断面は、円形又は長方形の形状を有してもよい。
【０１１７】
機械的係止装置は、棒状要素６が第１の要素溝７又は第２の要素溝１０に挿入されて第１のエッジ面１１が第１のパネル面２２に当て付いて配置される及び／又は第３のエッジ面１４が第２のパネル面２３に当て付いて配置されるときに第１のパネル１を第２のパネル２に自動的に係止するように構成されてもよい。
【０１１８】
棒状要素６は、第１のパネル１の第１のパネル面１２と平行な長さ方向を伴う長手方向形状を有してもよい。
【０１１９】
挿入溝３は、第２のエッジ面２１から第１の要素溝７まで延びてもよい。
【０１２０】
挿入溝３は、第２のエッジ面から第２の要素溝１０まで延びてもよい。
【０１２１】
挿入溝３は、第１の表面、反対側の第２の表面、及び、第１の表面と反対側の第２の表面との間で延びる底面４４とを備えてもよい。
【０１２２】
底面４４は、第１の要素溝７及び／又は第２の要素溝１０から距離を隔てて位置されてもよい。
【０１２３】
可撓性タング４の屈曲可能部分６１は、挿入溝３の底面４４に配置されてもよい。
【０１２４】
可撓性タング４は、挿入溝３の底面４４に配置されてもよい。
【０１２５】
可撓性タング４は、係止位置でタング溝９と挿入溝３の底面４４との間に配置されてもよい。
【０１２６】
可撓性タング４の支持面１０４及び側面１０５は、可撓性タング４が挿入溝３に挿入されて挿入溝３内で移動されるときに繊維が挿入溝３から脱落するリスクを低減するために丸みを帯びたエッジを有することが好ましい。
【０１２７】
可撓性タング４の一部は、第１の表面及び／又は第２の表面などの挿入溝３の表面に当て付いて移動されるように構成されてもよい。
【０１２８】
第１のパネル１及び／又は第２のパネル２のコアは、好ましくはＭＤＦ、ＨＤＦ、ＯＳＢ、ＷＰＣ、合板、又は、パーティクルボードから形成される木質コアであってもよい。また、コアは、熱硬化性プラスチック又は熱可塑性プラスチック、例えばビニール、ＰＶＣ、ＰＵ又はＰＥＴを備えるプラスチックコアであってもよい。プラスチックコアはフィラーを備えてもよい。
【０１２９】
また、第１のパネル１及び／又は第２のパネル２が無垢材からなってもよい。
【０１３０】
第１のパネル１及び／又は第２のパネル２は、１つ以上の表面上に、ホイル又はベニアなどの装飾層を備えていてもよい。
【０１３１】
本発明に係る可撓性タング４は、第１の係止面１０１及び第２の係止面１０２に起因して可撓性タングの両側で係止を可能にする。可撓性タングは両側に係止面を有し、したがって、対称的となり得るため、タング４が誤った方法で挿入溝３に挿入されるリスクが大幅に低減される。
【０１３２】
更に、可撓性タング４のエッジが丸みを帯びているため、可撓性タング４の挿入中に可撓性タング４が挿入溝３に突き刺さるリスクが低減される。
【０１３３】
更に、本発明の一実施形態に係る可撓性タング４は、パネルを分解するための略円形の分解工具の使用を可能にする。そのような略円形の分解工具は、長方形の分解工具よりも高精度で製造するのが容易である。円形の分解工具は更に長方形の分解工具よりも小さい断面を有し、それにより、分解工具のためのパネルの開口をより小さくする必要があり、その結果、パネルが装着されるときの構造がより安定して美的になるという利点を有する。
【図１Ａ】
2021521394.tif 000003
【図１Ｂ】
2021521394.tif 000004
【図２Ａ】
2021521394.tif 000005
【図２Ｂ】
2021521394.tif 000006
【図２Ｃ】
2021521394.tif 000007
【図３】
2021521394.tif 000008
【図４Ａ】
2021521394.tif 000009
【図４Ｂ】
2021521394.tif 000010
【図５Ａ】
2021521394.tif 000011
【図５Ｂ】
2021521394.tif 000012
【図６Ａ】
2021521394.tif 000013
【図６Ｂ】
2021521394.tif 000014
【図７Ａ】
2021521394.tif 000015
【図７Ｂ】
2021521394.tif 000016
【図８Ａ】
2021521394.tif 000017
【図８Ｂ】
2021521394.tif 000018
【図８Ｃ】
2021521394.tif 000019
【図８Ｄ】
2021521394.tif 000020
【図９Ａ】
2021521394.tif 000021
【図９Ｂ】
2021521394.tif 000022
【図９Ｃ】
2021521394.tif 000023
【図９Ｄ】
2021521394.tif 000024
【図１０】
2021521394.tif 000025
【図１１Ａ】
2021521394.tif 000026
【図１１Ｂ】
2021521394.tif 000027
【図１１Ｃ】
2021521394.tif 000028
【図１１Ｄ】
2021521394.tif 000029
【図１１Ｅ】
2021521394.tif 000030
【図１２Ａ】
2021521394.tif 000031
【図１２Ｂ】
2021521394.tif 000032
【図１２Ｃ】
2021521394.tif 000033
【図１２Ｄ】
2021521394.tif 000034
【図１２Ｅ】
2021521394.tif 000035
【図１３Ａ】
2021521394.tif 000036
【図１３Ｂ】
2021521394.tif 000037
【国際調査報告】
2021521394.tif 000038
2021521394.tif 000039
2021521394.tif 000040
2021521394.tif 000041
2021521394.tif 000042